(57)【要約】【課題】容易に製造でき、包装袋と一体に縦置き可能であり、温めた直後に手で持つことができるレンジ袋収容容器を提供する。【解決手段】蒸気圧による内圧上昇に伴い蒸気抜けを形成する包装袋３１の蒸気放出部を覆わない高さの側面３を有し、包装袋３１を立てかけることができる。【選択図】図５
2014104997.tif 000002
【特許請求の範囲】
【請求項１】
蒸気圧による内圧上昇に伴い蒸気抜けを形成する包装袋の蒸気放出部を覆わない高さの側面を有し、
前記包装袋を立てかけることができることを特徴とするレンジ袋収容容器。
【請求項２】
前記包装袋がフィルム合掌部を有することを特徴とする請求項１に記載のレンジ袋収容容器。
【請求項３】
単一の紙を折り曲げて形成されることを特徴とする請求項１又は２に記載のレンジ袋収容容器。
【請求項４】
底面がブリッジ状であることを特徴とする請求項１〜３のいずれか１項に記載のレンジ袋収容容器。
【請求項５】
底面が折り畳み可能であることを特徴とする請求項１に記載のレンジ袋収容容器。
【発明の詳細な説明】
【技術分野】
【０００１】
本発明は、食品等を収容して電子レンジ等で温めることが可能なレンジ用の包装袋を収容するためのレンジ袋収容容器に関する。
【背景技術】
【０００２】
従来から、レトルト食品等の内容物を充填した包装袋を電子レンジ等で加熱すると、その加熱に伴って内容物から発生する水蒸気等により包装袋の内部の圧力が上昇し、包装袋が破裂して内容物が飛散するおそれがあった。このようなことから、包装袋内部の圧力上昇を回避するため、圧力が上昇した際に袋の一部が破袋し、包装袋の破裂を防ぐための機構を備えた包装袋がある。
【０００３】
このようなレンジ用の包装袋としては、例えば、特許文献１に開示されている。特許文献１に開示されたレンジ用の包装袋は、内容物の充填の充填時や商品陳列時など利用者の利便性を考えて、包装袋底部にガゼットを設けて、該底部が座りとなるように断面略三角形状となる縦置きタイプのレンジ用袋が開示されている。
【先行技術文献】
【特許文献】
【０００４】
【特許文献１】特許第３６６５７９５号公報
【発明の概要】
【発明が解決しようとする課題】
【０００５】
ところで、特許文献１に記載されるような断面が略三角形状となる縦置きタイプのレンジ用の包装袋は、四方シールされてなるような平置きタイプのレンジ用袋に比べて製造が煩雑で困難である。また、レンジ使用時には、縦置き状態で使用するとレンジ中に倒れてしまう危険性があるため、平置きの状態で使用することになる。しかしながら、このような縦置きタイプのレンジ用袋は、平置きの状態で使用すると側面（底部）が広がった略三角形状となり、レンジ使用時における圧力上昇によって開口する蒸気抜け部が全体の高さに対して低いあるいは低めの位置に位置することとなり、蒸気抜け部へ圧力上昇による応力を効果的に反映させることができず、蒸気抜け性能を低下させることとなっていた。
【０００６】
また、このようなレンジ用袋は、持ち手となる部分が無いため、レンジアップ後には包装袋全体が高温になっており、レンジから取り出す際にやけどなどの心配が懸念されていた。さらに、包装袋自身の座りが十分なものではないため、レンジアップ後に縦置きし、上部を切り取って開口しても転倒などの危険性から包装袋から直接中の食品を食べることは困難であり、縦置きの利点を完全に生かせるものではなかった。
【０００７】
本発明は、上記事情に鑑みてなされたものであり、その目的とするところは、容易に製造でき、蒸気圧による内圧上昇に伴い蒸気抜けを形成するレンジ用の包装袋を転倒などの危険性無く、縦置きでレンジアップ可能にするレンジ袋収容容器を提供することにある。
【課題を解決するための手段】
【０００８】
かかる目的を達成するために、本発明は、以下の特徴を有する。
【０００９】
本発明に係るレンジ袋収容容器は、蒸気圧による内圧上昇に伴い蒸気抜けを形成する包装袋の蒸気放出部を覆わない高さの側面を有し、包装袋を立てかけることができることを特徴とする。
【発明の効果】
【００１０】
本発明によれば、容易に製造でき、蒸気圧による内圧上昇に伴い蒸気抜けを形成するレンジ用の包装袋を転倒などの危険性無く、縦置きでレンジアップすることができる。
【図面の簡単な説明】
【００１１】
【図１】本実施形態に係る容器の斜視図である。
【図２】本実施形態に係る容器の展開図である。
【図３】本実施形態に係る容器の上面図である。
【図４】本実施形態に係る包装袋の斜視図である。
【図５】本実施形態に係る容器と包装袋を一体にしたことを示す図である。
【図６】容器と包装袋を電子レンジで加熱して膨張した状態を示す図である。
【図７】本実施形態に係る折り畳み容器を示す図である。
【図８】本実施形態に係る折り畳み容器を示す展開図である。
【図９】容器と包装袋を平置きしたことを示す斜視図である。
【図１０】容器と包装袋を縦置きしたことを示す正面図である。
【発明を実施するための形態】
【００１２】
（実施形態１）
まず、図１から図３を参照しながら、本実施形態の容器について説明する。
【００１３】
図１は、本実施形態に係るレンジ袋収容容器１の斜視図である。本実施形態のレンジ袋収容容器１は紙製からなり、底面２と側面３とを有し、上部が開口した略円筒状の容器である。
【００１４】
レンジ袋収容容器１は、図３に示すように底面２を囲むように略楕円形状に底面２に対して垂直に立つ側面３を備える。側面３の高さは、後述する包装袋の蒸気を抜く蒸気抜きシール部を覆わない高さである。底面２と側面３との間の交線は、両端が繋がった折り目５を有し、その両端の折り目５に沿って中央に円弧状の隙間６を備える。このように、底面２と側面３とは、両端の一部分だけが繋がっており、無理なく容易に折り曲げることが可能となっている。また、底面２は、両端が接地するように、中央部が上方に盛り上がったブリッジ状をなしている。また、底面２は、包装袋を収容した際に少なくとも側面３に支えられて立てかけ、縦置きの状態を保持することが可能なように偏平な形状を成している。
【００１５】
次に、レンジ袋収容容器１の成形方法について説明する。図２は、本実施形態に係るレンジ袋収容容器１の展開図である。
【００１６】
レンジ袋収容容器１を展開した際に中央に位置する底面２は、組み立てた際に接地する直線部分１１と、側面３と繋がる円弧状の曲線部分１２と、を有する略楕円形状からなる。曲線部分１２は、その両端に底面２と側面３とを繋ぐ折り目５を有し、両端の折り目５の間には折り目５同士を繋ぐように略円弧形状に沿って隙間６に相当する切り込みが入れられている。側面３は、折り目５に沿って折ることにより、底面２に対して側面３を略垂直に立てられる。側面３を垂直に立てると、同時に底面２は、上述したようにブリッジ状に反ることとなり、意匠性と剛性を向上させることができる。また、熱を持った包装袋と接地面とを極力遠ざけることができるため、包装袋の保温性を高めることができるとともに設置場所に包装袋からの熱が移行して高温になるのを抑制することができる。
【００１７】
また、一方の側面３には、他方の側面３に設けられた切り込み１５に嵌合する凸部１４を有する。凸部１４は、側面３の両端にそれぞれ設けられ、組み立てた際に周方向に広がらないよう底面２に向けて凸な形状となっている。他方の側面３の凸部１４に対応する箇所に備えられた切り込み１５は、凸部１４を容易に差し込むことができるように底面２に対して傾斜して円弧状に設けられる。また、凸部１４の隣接する位置には、底面２に対して垂直方向に折り目１３を備える。これにより、円弧状に組み立てた際にも容易に凸部１４を切り込み１５に嵌合させることができる。凸部１４は、側面３を立てた際に重なり合う側面３の外側から切り込み１５に差し込まれ、先端の凸部１４が側面３の内側に出て固定される。
【００１８】
図３は、本実施形態に係るレンジ袋収容容器１の上面図である。略楕円形状を有する底面２における長手方向の両端には、底面２と側面３とが離間した穴２１を備える。穴２１は、底面２の直線部分１１と側面３の円弧形状から形成され、略半円形となっている。本構成により、側面３を無理なく曲げられ、凸部１４と切り込み１５とを容易に嵌合させることができる。
【００１９】
ここで、本実施形態に係るレンジ袋収容容器１に収納される包装袋について説明する。図４は、本実施形態の包装袋３１の構成例を示す図であり、包装袋３１に内容物４０を収容して開口をヒートシールして密閉した包装袋３１の斜視図である。
【００２０】
本実施形態の包装袋３１は、上面部３２を構成するフィルムと、下面部３３を構成するフィルムと、の周縁部をシールして形成したシール部３４，３７，３８を有する包装袋３１である。
【００２１】
本実施形態の包装袋３１は、シール部３４の略中央部を包装袋３１の内側方向に向かって略Ｖ字状に湾曲させて突出形成した蒸気抜きシール部３５と、蒸気抜きシール部３５と隣接し蒸気抜きシール部３５の外側にシールせずに形成した未シール部３６と、を有し、包装袋３１の内部圧力が上昇して包装袋３１が膨張した際に、蒸気抜きシール部３５に応力が集中することによって蒸気抜きシール部３５が剥離して開口し、該開口した領域と未シール部３６とで包装袋３１内の蒸気を放出する蒸気放出部を形成する。なお、蒸気放出部はこれに限られることなく、イージーピールであっても良い。
【００２２】
本実施形態の包装袋３１は、下面部３３と、上側に重なる上側上面部３２ａと、下面部３３の下側に重なる下側上面部３２ｂと、を有して構成する。本実施形態の包装袋３１は、上側上面部３２ａと下側上面部３２ｂとで上面部３２を構成している。
【００２３】
上面部３２、下面部３３を構成するフィルムとしては、ヒートシールした際にフィルム同士が溶着するフィルムであれば、あらゆるフィルムが適用可能であり、例えば、通常の包装袋に用いられるヒートシール性を有するプラスチックフィルムが適用可能である。プラスチックフィルムを構成する材料としては、例えば、ヒートシール性を有する熱可塑性樹脂からなる単層のフィルム、シート類や、ヒートシール性を有する熱可塑性樹脂を他の熱可塑性樹脂等と積層した多層フィルム等が挙げられる。
【００２４】
ヒートシール性の良好な材料としては、例えば、公知の低密度ポリエチレン、線状低密度ポリエチレン、中密度ポリエチレン、高密度ポリエチレン、プロピレン−エチレン共重合体、その他エチレン系不飽和カルボン酸乃至その無水物でグラフト変性されたオレフィン樹脂等のオレフィン系樹脂、比較的低融点乃至低軟化点のポリアミド系樹脂、ポリエステル系樹脂、エチレン−酢酸ビニル共重合体樹脂等が挙げられる。
【００２５】
また、積層する他のプラスチック材料としては、各種バリアフイルムを使用することができる。なお、これらの熱可塑性樹脂との積層フィルムを用いる場合は、融点の低い樹脂などヒートシール性の良好な熱可塑性樹脂層同士が内面となるようにヒートシールすることが好ましい。
【００２６】
本実施形態の包装袋３１は、下面部３３と上面部３２との両側縁をヒートシールしてサイドシール部３７の一部を形成している。また、下面部３３と上側上面部３２ａとの三方の側縁をヒートシールしてサイドシール部３７の一部とエンドシール部３８とを形成している。また、上側上面部３２ａと下側上面部３２ｂとを折り返して重ね合わせてヒートシールしてフィルム合掌部３９を形成している。
【００２７】
フィルム合掌部３９は、フィルム合掌部３９の長手方向の中央部に、包装袋３１の内側方向に向かって略Ｖ字状に湾曲して突出した蒸気抜きシール部３５を有しており、また、その蒸気抜きシール部３５の両側にフィルム合掌部３９の長手方向と短手方向の縁に沿って帯状のシール部３４を有している。蒸気抜きシール部３５と帯状のシール部３４とは、上側上面部３２ａと下側上面部３２ｂとを重ね合わせてヒートシールした部分であり、蒸気抜きシール部３５と帯状のシール部３４とが連結している。
【００２８】
フィルム合掌部３９は、蒸気抜きシール部３５の外側に未シール部３６を有している。未シール部３６は、上側上面部３２ａと下側上面部３２ｂとを重ね合わせてヒートシールしたシール部３４と蒸気抜きシール部３５で囲まれた外側のヒートシールしていない部分である。本実施形態の蒸気抜きシール部３５は、包装袋３１の内側方向に向かって略Ｖ字形状に湾曲させて突出した形状で構成されている。
【００２９】
蒸気抜きシール部３５は、未シール部３６と隣接しない包装袋３１の内側寄りのＶ字に突出した内側湾曲形状と、未シール部３６と隣接する包装袋３１の外側寄りの外側湾曲形状と、を有するヒートシールにより形成されており、蒸気抜きシール部３５の先端側が狭くなっている。このため、包装袋３１の内部圧力が上昇し、包装袋３１が膨張した際に、蒸気抜きシール部３５の先端側のみ剥離して開口し、その開口した領域と未シール部３６とで包装袋３１内の水蒸気等を放出する蒸気放出部が形成される。そして、その蒸気放出部から包装袋３１内の水蒸気等を外部に放出する。これにより、包装袋３１の内部圧力が上昇し、包装袋３１が膨張しても、蒸気放出部から包装袋３１内の水蒸気等を外部に放出するため、包装袋３１の破裂を防止することができる。
【００３０】
図５は、本発明の一実施形態におけるレンジ袋収容容器１の実施態様を示す図である。上述したようなレンジ袋収容容器１及び包装袋３１は、図５に示すように、レンジ袋収容容器１の開口４から包装袋３１の蒸気抜きシール部３５が露出するように一体にしてセットされる。また、図６は、レンジ袋収容容器１と包装袋３１を電子レンジで加熱して膨張した状態を示し、図６（ａ）は、レンジ袋収容容器１と包装袋３１の斜視図、図６（ｂ）は、レンジ袋収容容器１と包装袋３１の側面図を示す。
【００３１】
図５に示すように、レンジ袋収容容器１の底面２を下にし、側面３の開口４を上にして、レンジ袋収容容器１の開口４から包装袋３１を収容することにより、包装袋３１を立てることができる。レンジ袋収容容器１と包装袋３１は適宜公知の接着剤などを用いて接着することも可能である。包装袋３１の蒸気抜きシール部３５は、レンジ袋収容容器１の開口４より上にあるので、蒸気抜きシール部３５がレンジ袋収容容器１に塞がれることはない。
【００３２】
密閉状態の包装袋３１を電子レンジで加熱すると、包装袋３１内に水蒸気等が発生し、高温及び高圧になり、包装袋３１が膨張する。すると、図６に示すように、下面部３３と上面部３２とで構成する包装袋３１の本体部分の水平断面が楕円形になるように膨張すると共に、フィルム合掌部３９の蒸気抜きシール部３５、帯状のシール部３４で区画された空間が膨張する。これにより、フィルム合掌部３９を構成する蒸気抜きシール部３５の先端の部分に力が集中的に加わり、蒸気抜きシール部３５の先端からヒートシールの剥離が発生し、蒸気抜きシール部３５の先端が開口し、その開口した領域と未シール部３６とで包装袋３１内の水蒸気等を放出する蒸気放出部が形成される。これにより、蒸気放出部から包装袋３１内で発生した水蒸気等を外部に放出することができる。
【００３３】
本実施形態によれば、少なくとも包装袋３１の蒸気抜きシール部３５がレンジ袋収容容器１より露出するように包装袋３１をレンジ袋収容容器１に収容した状態で内容物４０を温めることで、内容物が冷めるのを待つことなく、レンジ袋収容容器１を持ち手として、レンジから安全に取り出すことが可能であり、また、包装袋３１の上部に形成された切り口部分４１から袋を切り開けることにより、包装袋３１とレンジ袋収容容器１とを立ててそのまま内容物を食べることができる。
【００３４】
また、本実施形態の包装袋３１は、蒸気放出部を形成する蒸気抜きシール部３５を、包装袋３１内の内容物４０の上面レベルより上位置となるフィルム合掌部３９に設けているため、包装袋３１内の内容物４０の吹きこぼれを防止できると共に、包装袋３１内の内容物４０の漏れを防止することができる。また、本実施形態の包装袋３１はこの形態に限ることなく、例えば、蒸気放出部を包装袋３１の端部に設け、フィルム合掌部３９が無い形態でも良い。
【００３５】
なお、本実施形態のレンジ袋収容容器１は、本実施形態に限ることなく、少なくとも包装袋３１の蒸気抜きシール部３５がレンジ袋収容容器１より露出していれば良く、例えば、レンジ袋収容容器１の側面の高さが包装袋３１と同様、あるいは高い場合には、蒸気抜きシール部３５より上側、すなわち蒸気が抜けるように対応箇所の一部分を切り抜いた形状等を適宜用いることが可能である。
【００３６】
（実施形態２）
本実施形態におけるレンジ袋収容容器５１は、包装袋３１を収容後に、例えば、平置き状態でレンジにて温めることができ、その後レンジから取り出した際には、即座に縦置きにして内容物を取り出しやすくすることができ、利便性を向上させた容器について説明する。図７（ａ）は、本実施形態に係るレンジ袋収容容器５１の折り畳んだ状態を示す斜視図であり、（ｂ）は（ａ）の矢印Ａ−Ａ線断面図である。
【００３７】
図７に示すように、レンジ袋収容容器５１は、折り畳み状態から両側の側縁を互いに押し込むことで筒状に展開させることができる容器本体５２と、この容器本体５２の下端部に設けた底部材５３からなり、容器本体５２の折り畳みと展開に連動して底面を底部材５３にも折り畳みと展開が生じるようになっている。
【００３８】
上記容器本体５２は、厚紙や合成樹脂シートのようなシート材料を用い、図８（ａ）のように、二枚の側壁５４を有し、この両側壁５４を一方の側縁で互いに連なるように一枚のシートから形成し、両側壁５４を折り目線５５で二つ折りに重ねて他方側縁を糊付け片５６で互いに接着固定することにより、扁平な折り畳み状態から両側縁を押して筒状にワンタッチで展開させることができるようになっている。
【００３９】
この容器本体５２において、両側壁５４の下端縁は、容器本体５２の上下軸線に対して略直角の水平直線縁に形成されている。上記両側壁５４の下端縁で幅方向の中央位置に、底部材５３と連結する帯状の接続片５７が下向きの延長状に突設されている。
【００４０】
上記底部材５３は、材料に容器本体５２と同様のシート材料を用い、図８（ｂ）のように、直線の折り目線６１を挟んで連なる一対の底壁６２が二つ折り状態から両側に展開可能となるように形成され、両底壁６２は直線となる折り目線６１と反対の外縁が円弧状の膨出縁となる板状となり、両底壁６２の折り目線６１に沿う方向の長さが、折り畳んだ容器本体５２の両側縁間に納まる長さに設定され、二つ折り状態で折り目線６１側が容器本体５２の内側に位置し、底壁６２の一部が側壁５４の下縁から外側に突出する配置で容器本体５２内に収まるようになっている。
【００４１】
上記底部材５３の両底壁６２には、折り目線６１上に中央長孔６３と、折り目線６１を挟んで等距離はなれた位置に外側長孔６４が平行状態の配置で設けられ、底部材５３を展開した状態で、容器本体５２の各側壁５４の下縁に連成した帯状の接続片５７を外側長孔６４に上から通し、底壁６２の下面で折り曲げてその先端部を中央長孔６３に下から通すように折り曲げることにより、側壁５４と底壁６２を連結している。
【００４２】
本実施形態のレンジ袋収容容器５１は、上記のような構成であり、平置きで使用する際は、図７（ａ）と（ｂ）に示すように、容器本体５２を両側壁５４が重なるように折り畳み、底部材５３を二つ折り状態で両側壁５４間の下端部に挟み込み、全体を扁平な形状にしておく。この状態で、両側壁５４に設けた接続片５７は底部材５３の二つ折りによって内側に折れ曲がっている。
【００４３】
図９は、レンジ袋収容容器５１と包装袋３１とを一体にして平置きしたことを示す斜視図である。レンジ袋収容容器５１と包装袋３１とは、少なくとも包装袋３１の蒸気抜きシール部がレンジ袋収容容器５１から露出されるように収容される。収容された包装袋３１は、公知の接着剤などを用いてレンジ袋収容容器５１に固定しても良い。
【００４４】
本実施形態におけるレンジ袋収容容器５１は、例えば、内容物４０をレンジで温めるときには、包装袋３１を平置きのままでレンジにかけられるため、レンジをかけている際に転倒の恐れなどがなく、安定してレンジにかけることができる。また、レンジから取り出す際にもレンジ袋収容容器５１を持つことにより、やけどなどの心配なくレンジ袋収容容器５１と包装袋３１を取り出すことができる。
【００４５】
また、レンジから取り出したレンジ袋収容容器５１及び包装袋３１は、レンジ袋収容容器５１の側縁を押さえつけることにより、図１０で示すように、底部材５３の両底壁６２がワンタッチで引き出され、容易に縦置きすることができる。その後、包装袋３１の上部を切り取ることにより、内容物４０を取り出しやすく、食べるときの利便性を向上させることができる。
【００４６】
本実施形態によれば、レンジ袋収容容器５１と包装袋３１を平置きで温めた後に、レンジ袋収容容器５１と包装袋３１を容易に縦置きにすることができるため、やけどなどの心配なく温めた直後に内容物４０を食べることができる。
【００４７】
なお、上述した実施形態は、本発明の好適な実施形態であり、上記実施形態のみに本発明の範囲を限定するものではなく、本発明の要旨を逸脱しない範囲において種々の変更を施した形態での実施が可能である。
【符号の説明】
【００４８】
１    容器
２    底面
３    側面
４    開口
５    折り目
１４    凸部
１５    切り込み
３１    包装袋
３２    上面部
３３    下面部
３４    シール部
３５    蒸気抜きシール部
３６    未シール部
４０    内容物
４１    ノッチ
５１    折り畳み容器
５２    容器本体
５３    底部材
５４    両側壁
【図１】
2014104997.tif 000003
【図２】
2014104997.tif 000004
【図３】
2014104997.tif 000005
【図４】
2014104997.tif 000006
【図５】
2014104997.tif 000007
【図６】
2014104997.tif 000008
【図７】
2014104997.tif 000009
【図８】
2014104997.tif 000010
【図９】
2014104997.tif 000011
【図１０】
2014104997.tif 000012